【手続補正書】
【提出日】平成20年2月6日(2008.2.6)
【手続補正１】
【補正対象書類名】特許請求の範囲
【補正対象項目名】全文
【補正方法】変更
【補正の内容】
【特許請求の範囲】
【請求項１】
情報記録媒体において、
前記媒体には、ユーザデータを記録するためのユーザデータ領域と、前記ユーザデータ領域で発生した欠陥の代替のためのスペア領域とが設けられ、前記ユーザデータ領域に記録されたオリジナル記録ブロックをアップデートするための代替記録ブロックは、前記スペア領域または前記ユーザデータ領域の未記録領域に記録され、
前記代替記録ブロックは、前記オリジナル記録ブロックの位置を表す第１アドレス、及び前記オリジナル記録ブロックを以前に代替した他の記録ブロックの位置を表す第２アドレスのうち、少なくとも一つを含むことを特徴とする情報記録媒体。
【請求項２】
前記記録ブロックは、オリジナルデータまたは代替データを含んでいるデータ部分と、前記オリジナルデータまたは前記代替データに関する付加的な情報を含んでいる付加情報部分とを含み、
前記付加情報部分は、前記第１アドレスまたは前記第２アドレスのうち、少なくとも一つを含むことを特徴とする請求項１に記載の情報記録媒体。
【請求項３】
情報記録媒体において、
前記媒体には、ユーザデータを記録するためのユーザデータ領域と、前記ユーザデータ領域で発生した欠陥の代替のためのスペア領域とが設けられ、前記ユーザデータ領域に記録されたオリジナル記録ブロックをアップデートするための代替記録ブロックは、前記スペア領域または前記ユーザデータ領域の未記録領域に記録され、
前記代替記録ブロックの物理的なアドレスは、代替される前の記録ブロックの物理的なアドレス、及び前記オリジナル記録ブロックの物理的なアドレスより常に大きいか、または常に小さく配列されることを特徴とする情報記録媒体。
【請求項４】
記録／再生装置において、
情報記録媒体に／からデータを記録／読出する記録／読出部と、
前記情報記録媒体に記録ブロックを記録するように、前記記録／再生部を制御する制御部と、を含み、
前記記録ブロックは、オリジナル記録ブロックの位置を表すオリジナルアドレス情報または前記オリジナル記録ブロックの代替のための位置を表す以前アドレス情報のうち、少なくとも一つを含むことを特徴とする記録／再生装置。
【請求項５】
前記記録された記録ブロックは、スペア領域またはユーザデータ領域の未記録領域に記録されることを特徴とする請求項４に記載の記録／再生装置。
【請求項６】
前記記録された記録ブロックは、前記オリジナルアドレス情報を含み、
前記記録された記録ブロックは、前記記録ブロックの位置の所定シーケンスによって決定された位置に記録されることを特徴とする請求項４に記載の記録／再生装置。
【請求項７】
前記記録ブロックは、オリジナルデータまたは代替データを含んでいるデータ部分と、前記オリジナルデータまたは前記代替データに関する付加的な情報を含んでいる付加情報部分とを含み、
前記付加情報部分は、前記オリジナルアドレス情報または前記以前アドレス情報のうち、少なくとも一つを含むことを特徴とする請求項４に記載の記録／再生装置。
【請求項８】
記録／再生装置において、
情報記録媒体に／からデータを記録／読出する記録／読出部と、
前記情報記録媒体に記録ブロックを記録するように前記記録／読出部を制御する制御部とを備え、
前記記録ブロックは、前記オリジナル記録ブロックと前記代替記録ブロックとを区分するための識別情報を含むことを特徴とする記録／再生装置。
【請求項９】
前記記録ブロックは、オリジナルデータまたは代替データを含んでいるデータ部分と、前記オリジナルデータまたは前記代替データに関する付加的な情報を含んでいる付加情報部分とを含み、
前記付加情報部分は、前記識別情報を含むことを特徴とする請求項８に記載の記録／再生装置。
【請求項１０】
前記付加情報部分は、前記オリジナル記録ブロックの位置を表すオリジナルアドレスフィールド、または前記記録ブロックに代替される直前のアドレスフィールドのうち、少なくとも一つを含み、
前記識別情報は、前記オリジナルアドレスフィールドまたは前記以前アドレスフィールドのうち、少なくとも一つの値を特定の識別子として表して区分することを特徴とする請求項９に記載の記録／再生装置。
【請求項１１】
記録／再生装置において、
情報記録媒体に／からデータを記録／読出する記録／読出部と、
前記情報記録媒体に、前記代替記録ブロックの物理的なアドレスは、代替される前の記録ブロックの物理的なアドレス及び前記オリジナル記録ブロックの物理的なアドレスより常に大きいか、または常に小さく配列されるように、前記代替記録ブロックを記録するように前記記録／読出部を制御する制御部とを備えることを特徴とする記録／再生装置。
【請求項１２】
記録／再生装置において、
情報記録媒体に／からデータを記録／読出る記録／読出部と、
記録ブロックに含まれているオリジナル記録ブロックの位置を表すオリジナルアドレス情報または前記記録ブロックに代替される直前のアドレス情報のうち、少なくとも一つを参照して、前記オリジナル記録ブロック及び代替記録ブロックに関する代替情報を復元する制御部とを備えることを特徴とする記録／再生装置。
【請求項１３】
情報記録媒体へのデータの記録／再生方法において、
記録ブロックを、前記記録ブロックによって代替されるオリジナル記録ブロックの位置を表すオリジナルアドレス情報、または前記オリジナル記録ブロックを代替する以前の記録ブロックの位置を表す以前アドレス情報のうち、少なくとも一つを含むように構成して、前記記録ブロックを前記媒体に記録するステップを含むことを特徴とする記録／再生方法。
【請求項１４】
前記記録ブロックをスペア領域またはユーザデータ領域の未記録領域に記録するステップをさらに含むことを特徴とする請求項１３に記載の方法。
【請求項１５】
前記記録ブロックがオリジナルデータを含む場合に、
前記オリジナルアドレスフィールドと前記以前アドレスフィールドとに同じ値を使うステップをさらに含むことを特徴とする請求項１３に記載の方法。
【請求項１６】
前記記録ブロックがオリジナルデータのための第１代替データを含む場合に、
前記オリジナルデータの位置を表す値を、前記オリジナルアドレスフィールドと前記以前アドレスフィールドとに書き込むステップをさらに含むことを特徴とする請求項１３に記載の方法。
【請求項１７】
前記記録ブロックがオリジナルデータのためのｎ番目の代替データを含む場合に、
前記オリジナルデータの位置を表す値を前記オリジナルアドレスフィールドに書き込むステップと、
ｎ−１番目の代替データの位置を表す値を、前記以前アドレスフィールドに書き込むステップとを含むことを特徴とする請求項１３に記載の方法。
【請求項１８】
記録ブロックの位置の所定シーケンスによって決定された位置に前記記録ブロックを記録するステップをさらに含むことを特徴とする請求項１３に記載の方法。
【請求項１９】
前記記録された記録ブロックの位置に対応する値が、前記オリジナル記録ブロックの位置に対応する値より大きいという規則による所定シーケンスによる位置に、前記記録ブロックを記録するステップをさらに含むことを特徴とする請求項１８に記載の方法。
【請求項２０】
前記記録された記録ブロックの位置に対応する値が、前記以前に記録された記録ブロックの位置に対応する値より大きいという規則による所定シーケンスによる位置に、前記記録ブロックを記録するステップをさらに含むことを特徴とする請求項１９に記載の方法。
【請求項２１】
前記記録ブロックの位置に対応する値が、前記オリジナル記録ブロックの位置に対応する値より小さいという規則による所定シーケンスによる位置に、前記記録ブロックを記録するステップをさらに含むことを特徴とする請求項１８に記載の方法。
【請求項２２】
前記記録ブロックの位置に対応する値が、前記以前に記録された記録ブロックの位置に対応する値より小さいという規則による所定シーケンスによる位置に、前記記録ブロックを記録するステップをさらに含むことを特徴とする請求項２１に記載の方法。
【請求項２３】
前記記録ブロックは、オリジナルデータまたは代替データを含んでいるデータ部分と、前記オリジナルデータまたは前記代替データに関する付加的な情報を含んでいる付加情報部分とを含み、
前記付加情報部分は、前記オリジナルアドレス情報、または前記以前アドレス情報のうち、少なくとも一つを含むことを特徴とする請求項１３に記載の記録／再生方法。
【請求項２４】
記録／再生方法において、
記録ブロックを、前記オリジナル記録ブロックと前記代替記録ブロックとを区分するための識別情報を含むように構成し、この記録ブロックを前記媒体に記録するステップを含むことを特徴とする記録／再生方法。
【請求項２５】
前記記録ブロックは、オリジナルデータまたは代替データを含んでいるデータ部分と、前記オリジナルデータまたは前記代替データに関する付加的な情報を含んでいる付加情報部分とを含み、
前記付加情報部分は、前記識別情報を含むことを特徴とする請求項２４に記載の記録／再生方法。
【請求項２６】
前記付加情報部分は、前記オリジナル記録ブロックの位置を表すオリジナルアドレスフィールド、または前記記録ブロックに代替される直前のアドレスフィールドのうち、少なくとも一つを含み、
前記識別情報は、前記オリジナルアドレスフィールド、または前記以前アドレスフィールドのうち、少なくとも一つの値を特定の識別子として表して区分することを特徴とする請求項２５に記載の記録／再生方法。
【請求項２７】
記録／再生方法において、
代替記録ブロックの物理的なアドレスは、代替される前の記録ブロックの物理的なアドレス及びオリジナル記録ブロックの物理的なアドレスより常に大きいか、または常に小さく配列されるように、前記代替記録ブロックを記録するステップを含むことを特徴とする記録／再生方法。
【請求項２８】
記録／再生方法において、
ユーザデータ領域に記録されたオリジナル記録ブロックをアップデートするための代替記録ブロックを、スペア領域または前記ユーザデータ領域の未記録領域に記録するステップと、
前記代替記録ブロックのオリジナルアドレスフィールドと以前アドレスフィールドとを参照して、オリジナル記録ブロック及び前記代替記録ブロックに関する代替情報を復元するステップとを含むことを特徴とする記録／再生方法。
【請求項２９】
オリジナル記録ブロックとｎ個の連続記録ブロックとを有する追記型媒体から現在ユーザデータを再生する方法であって、前記オリジナル記録ブロックと各連続記録ブロックとは第１及び第２アドレスフィールドを含み、前記オリジナル記録ブロックの前記第１及び第２アドレスフィールドは同じ値であり、ｎ個の連続記録ブロックそれぞれの第１アドレスフィールドは、オリジナルデータの位置を表す第１値であり、ｎ個の連続記録ブロックそれぞれの第２アドレスフィールドは、ｎ−１番目の連続記録ブロックの位置を表す各第２値を有する方法において、
前記オリジナル記録ブロック、及び前記ｎ個の連続記録ブロックそれぞれの前記第１及び第２アドレスフィールドを読み出すステップと、
前記読み出した第１及び第２アドレスフィールドからの前記第１及び第２アドレスフィールド値に基づいて、前記現在データが前記オリジナル記録ブロックに含まれているか、または前記ｎ番目の連続記録ブロックに含まれているかを決定するステップとを含むことを特徴とする方法。
【請求項３０】
前記第１アドレスフィールドに前記第２値を有するいかなる連続記録ブロックも読み出されない場合に、前記オリジナル記録ブロックは、前記現在データを含むと決定するステップをさらに含むことを特徴とする請求項２９に記載の方法。
【請求項３１】
前記オリジナル記録ブロックの位置を含む第１フィールドを有する前記ｎ個の連続記録ブロックの各第１フィールドと、連続記録ブロックの割当位置の所定シーケンスとを比較するステップと、
前記比較に基づいて、前記ｎ番目の連続記録ブロックが前記現在データを含むことと決定するステップとを含むことを特徴とする請求項２９に記載の方法。
【請求項３２】
前記第１フィールドの何れも前記第２値を有さず、前記ｎ個の連続記録ブロックのうち一つである前記第１及び第２フィールドが同じ値を有する場合に、前記ｎ個の連続記録ブロックのうち一つは、他のオリジナル記録ブロックと決定するステップをさらに含むことを特徴とする請求項２９に記載の方法。
【請求項３３】
オリジナル記録ブロックと複数の連続記録ブロックとを有する追記型媒体から現在ユーザデータを再生する方法であって、前記オリジナル記録ブロック及び各連続記録ブロックは、同じ値を有するアドレスフィールドを含み、前記オリジナル記録ブロックと各連続記録ブロックとの位置の値は、前記記録ブロックの位置の所定シーケンスによって割当てられる方法において、
前記オリジナル記録ブロック及び前記複数の連続記録ブロックのそれぞれに対する前記アドレスフィールドを読み出すステップと、
前記読み出されたアドレスフィールド及び位置の所定シーケンスに基づいて、前記現在ユーザデータが前記オリジナル記録ブロックに含まれているか、または前記連続記録ブロックに含まれているかを決定するステップとを含み、
前記オリジナル記録ブロック、または前記位置の所定シーケンスで以後のシーケンス及びアドレスフィールドに同じ値を有する連続記録ブロックは、前記現在ユーザデータを含むと決定されることを特徴とする方法。
【請求項３４】
前記所定シーケンスは、各連続記録ブロックの位置に対応する値が以前連続記録ブロックの位置に対応する値より大きく、また前記オリジナル記録ブロックの位置に対応する値より大きいという規則によることを特徴とする請求項３３に記載の方法。
【請求項３５】
前記所定シーケンスは、各連続記録ブロックの位置に対応する値が以前連続記録ブロックの位置に対応する値より小さく、また前記オリジナル記録ブロックの位置に対応する値より小さいという規則によることを特徴とする請求項３３に記載の方法。
【請求項３６】
追記型媒体にデータを記録する方法において、
第１データと前記第１データを記録するための論理的アドレスとを提供するステップと、
前記論理的アドレスに対応する前記追記型媒体上の第１物理的アドレスが既に記録されているか否かを決定するために、前記第１物理的アドレスを検査するステップと、
前記第１物理的アドレスが以前に記録されていないならば、前記提供された第１データを前記第１物理的アドレスに記録するステップと、
前記第１物理的アドレスで第２データが発見されれば、前記追記型媒体上に代替エントリーを検査し、前記代替エントリーから前記第１データが前記第２データまたは付加データのための代替データであるか否かを決定し、前記第２物理的アドレスに前記第１データを記録し、前記第１データが前記代替データであれば、前記代替エントリーをアップデートするか、または前記第１データが前記付加データであれば、新たな代替エントリーを生成するステップとを含むことを特徴とする方法。
【請求項３７】
前記第１データが前記代替データであれば、前記第２物理的アドレスに前記第１データを記録するステップは、
前記第１データと、前記提供された論理的アドレスに対応する値を有する第１フィールド及び前記第１物理的アドレスに対応する値を有する第２フィールドとを含む記録ブロックを生成するステップと、
前記第２物理的アドレスに前記記録ブロックを記録するステップとを含むことを特徴とする請求項３６に記載の方法。
【請求項３８】
前記代替エントリーをアップデートするステップは、
前記論理的アドレスを前記第２物理的アドレスと関連させる第２代替エントリーを記録するステップを含むことを特徴とする請求項３７に記載の方法。
【請求項３９】
前記第１データが前記付加データであれば、前記第２物理的アドレスに前記第１データを記録するステップは、
前記第１データ、同じ値を有する第１及び第２アドレスフィールドを含む記録ブロックを生成するステップと、
前記第２物理的アドレスに前記記録ブロックを記録するステップとを含むことを特徴とする請求項３６に記載の方法。
【請求項４０】
前記新たな代替エントリーを生成するステップは、
前記論理的アドレスを前記第２物理的アドレスに関連させる前記新たな代替エントリーを記録するステップを含むことを特徴とする請求項３９に記載の方法。
【請求項４１】
前記同じ値は、任意の値であることを特徴とする請求項３９に記載の方法。
【請求項４２】
前記同じ値は、前記提供された論理的アドレスに対応する値であることを特徴とする請求項３９に記載の方法。